(57)【特許請求の範囲】
【請求項１】
ピアノ本体のキャストアイアンプレートのような固定部材に接する第一接触部材と、前記ピアノ本体のサウンドボードのような音源部材に接する第二接触部材とを備え、これら固定部材及び音源部材の間で保持されるセンサ部材と、
上記第一接触部材あるいは第二接触部材の一方あるいは双方に設けられ、前記固定部材と音源部材との間の距離に応じて、センサ部材の長さを調整するための長さ調節機構と、
上記第一接触部材と前記第二接触部材の一方あるいは双方と、前記固定部材又は前記音源部材とが接する角度を調節するための角度調節機構とよりなり、
上記固定部材および音源部材から加わる振動力を電気信号に変換し出力する
ことが特徴のピアノのピックアップ装置。
【請求項２】
上記センサ部材に、１乃至複数個の着脱可能な電気信号出力コネクタ−部材を設けたことが特徴の、前記請求項１記載のピアノのピックアップ装置。
【請求項３】
上記第一接触部材と前記固定部材との間に、機械的振動フィルタとなる粘弾性部材と重錘を設けたことが特徴の上記請求項１又は２に記載のピアノのピックアップ装置。
【請求項４】
上記第一接触部材が、前記固定部材との間に１乃至複数の取り付け部材を介して前記固定部材と接するようにしたことが特徴の前記請求項１乃至３の何れか記載のピアノのピックアップ装置。
【発明の詳細な説明】
【０００１】
【産業上の利用分野】
本発明は、ピアノに取り付けピアノ音を電気信号として取り出す、ピアノのピックアップ装置に関する。
【０００２】
［定義］
ピアノを構成する各部材の名称は、当該ピアノが数百年の歴史を持ち、世界的に愛好されてことから、世界各国においてまたその愛好家にあって、さらにはそのメーカにあってそれぞれ異なった名称を用いることが多い。
この為、この明細書で使用する、ピアノの各部材の名称を予め定義しておく必要がある。
【０００３】
しかして、この明細書でピアノ本体（Ａ）とは、
図１および２の「グランドピアノ」と、図３の「バーティカルピアノ」の双方を言う。言い換えればこれらピアノの双方に適用される。
【０００４】
この明細書で固定部材（Ｂ）とは、
図１乃至図３のように一般的な上記ピアノに使用されているキャストアイアンプレ−ト［ｃａｓｔ−ｉｒｏｎ  ｐｌａｔｅ］（ｂ１）や張った弦の端部を止るピンブロック（ｂ２）や、ピアノ本体（Ａ）を構成する枠［Ｃａｓｅ］（ａ１），その他ブレ−ス［ｂｒａｃｅ］（ｂ４），インナ−リム［ｉｎｎｅｒ  ｒｉｍ］（ｂ５），アウタ−リム［ｏｕｔｅ  ｒｉｍ］（ｂ６），バーティカルピアノ本体（Ａ）のバックポスト［ｂａｃｋ  ｐｏｓｔ］（ｂ７），及びそれらの附属品，附属形状を総称して呼ぶ。
【０００５】
この明細書で音源部材（Ｃ）とは、
図１乃至図３のように一般的な上記ピアノに使用されているサウンドボ−ド［ｓｏｕｎｄｂｏａｒｄ］（ｃ１）、サウンドボ−ド（ｃ１）に接着されたリブ［ｒｉｂ］（ｃ２）、サウンドボ−ドに接着されたブリッジ［ｂｒｉ  ｄｇｅ］（ｃ３）、上記サウンドボ−ド（ｃ１）に接着されたブリッジ（ｃ３）のブリッジピン［ｂｒｉｄｇｅ  ｐｉｎ］（ｃ４）、サウンドボ−ド（ｃ１）に接着されブリッジ（ｃ３）に接して張設された弦［ｓｔｒｉｎｇ］（ｃ５）、を総称して呼ぶ。
【０００６】
この明細書でピックアップ装置本体（Ｄ）とは、
固定部材（Ｂ）に接する第一接触部材（２）と、ピアノ本体（Ａ）のサンドボード（ｃ１）のような音源部材（Ｃ）に接する第二接触部材（３）とを持ったセンサ部材（１）とを総称して呼ぶ。
【０００７】
【従来の技術】
上記ピアノ本体のサウンドボ−ド等の音源となる部材に、震動加速度を電気信号に変換し出力する震動加速度ピックアップを接着するなどして、サウンドボ−ド等の音源となる部材の震動加速度をピックアップする構造のピアノのピックアップ装置が一般に知られている。
【０００８】
しかして、ピアノにおけるサウンドボ−ドの振動を電気信号に変化し、当該電気信号を増幅して、ラウドスピ−カ−を駆動することは既に提案されている。例えば、サウンドボ−ドの振動を電気信号に変換する際、米国特許第４，０５８，０４５号明細書に開示されているように、両面に電極を有する圧電素子からなるピックアップをホルダ−或いはハウジングにより保持し、前記ホルダ−の一方をピアノノサウンドボ−ドに接触させると共に、前記ホルダ−の他方を前記ピアノのアップライトにスプリングを介して設けられた重錘（ｍａｓｓ）として作用するバックアッププレ−ト（ｂａｃｋｕｐ  ｐｉａｔｅ）に結合したもので、前記圧電素子と前記重錘により典型的な加速度ピックアップを構成しており、この加速度ピックアップをスプリングでピアノのサウンドボ−ドに接触させ、震動加速度をピックアップさせることによりピアノ音をピックアップする構造のピアノ用ピックアップと言える構造のものは公知である。
【０００９】
しかして、ピアノ本体のサウンドボ−ドの様な板状の震動板は、複雑な震動モ−ドを持つことが知られている。この板状の震動板があるモ−ドで震動している時に、この板状の震動板の中にほぼ静止し震動加速度がほぼゼロとなる点がいくつか存在し、この点を一般に節と呼んでいる。
また、この板状の震動板の中の節と節の間に震動加速度だ最大となる点を一般に［腹］と呼んでいる。これらの節と腹は震動板の震動周波数によって震動板状を移動し複雑な震動モ−ドを形成している。
【００１０】
それゆえピアノのサウンドボ−ド状の特定の１点の震動加速度をピックアップすることにより、ピアノ音をピックアップする構造のピアノ用ピックアップの場合、サウンドボ−ドが振動する周波数によってそのピックアップを取付けた点が振動モ−ドの節となったり腹となったりして、振動モ−ドの不安定要素となってしまう、それゆえその点が節となる周波数においてはその点の震動加速度は小さく、よってピックアップの出力が小さくなり、その点が腹となる周波数においてはその点の震動加速度は大きくなり、よってピックアップの出力が大きくなり、周波数によってピックアップの出力が大小（増減）してしまう。
【００１１】
このことから加速度ピックアップ方式の場合、ピックアップ音が周波数により大小してしまい忠実なピアノ音を出力することは困難と言える。
【００１２】
また、加速度ピックアップ等を糊，接着剤，両面粘着テ−プ又は粘着テ−プ等を用いてピアノに接着する取付け構造を持つピアノ用ピックアップの場合、ピックアップが完全に接着されていない場合、ピックアップされたピアノ音の音色が変化したり歪みを伴った音となる問題があり、またピックアップを完全にピアノに接着した場合、後にそのピックアップを取外す際にピックアップを取付けた場所のニス（Ｖａｒｎｉｓｈ）や塗装を剥離しピアノに損傷を与えることや、特にピアノの木材で作られた場所に取付けた場合に、そのピックアップを取外すことによりピアノの木材自体をも剥ぎ取り、重大な損傷を与えることがあるという問題があり、不便なものである。
【００１３】
さらに、前記加速度ピックアップをスプリングでピアノのサウンドボ−ドに接触させる構造のピックアップ装置は、ピックアップと前記スプリングにより機械共振器が構成され、その共振周波数においては前記ピックアップの加速度は増幅されやすく、その結果出力にピ−クが生じてしまい忠実なピアノ音の再生が困難となる。
【００１４】
またこのピックアップは、前記ピックアップを前記スプリングの力により前記サウンドボ−ドに押し付けている。それ故、前記サウンドボ−ドと前記アップライトとの距離が、ピアノの種類により、また同一のピアノであっても取付ける位置により大きく変化するので、前記ピックアップを前記サウンドボ−ドに押し付ける力を適切な値に調整することは困難である。
【００１５】
例えば、前記サウンドボ−ドと前記アップライトとの間の距離が大き過ぎると、前記スプリングの圧縮力、即ち前記ピックアップを前記サウンドボ−ドに押し付ける力が不足し、前記サウンドボ−ドの振動が大きい際には前記ピックアップが前記サウンドボ−ドより浮き上がり、音に不所望な歪みを生じさせる。逆に、前記サウンドボ−ドと前記アップライトとの間の距離が小さ過ぎると、前記スプリングの圧縮力、即ち、前記ピックアップを前記サウンドボ−ドに押し付ける力が過大となり、前記サウンドボ−ドと前記アップライトとの間に前記ピックアップを押込み取り付ける際に、前記サウンドボ−ドと前記アップライトとに前記ピックアップや前記スプリングを強い力で擦り付けてしまい、前記サウンドボ−ド或いは前記アップライトに損傷を与えたり、前記サウンドボ−ドを過渡に変形させて忠実なピアノ音を再生することができない。
【００１６】
【発明が解決しようとする課題】
それ故、本発明の一つの目的は、、忠実なピアノ音を再生することのできるピックアップ装置を提供することにある。
【００１７】
本発明の他の目的は、ピアノ本体のサウンドボ−ド等の音源部材およびキャストアイアンプレ−ト等の固定部材と、本発明ピックアップ装置本体をリジットに連結し、斯くなすことにより生ずる振動力をピックアップすることにより、確実，正確にピアノ音をピックアップするピックアップ装置を提供することにある。
【００１８】
本発明の別の目的は、容易にピアノに取付け取り外しのできるピックアップ装置を提供することにある。
【００１９】
本発明の別の目的は、取付け取り外し時にピアノに損傷を与えることの少ないピックアップ装置を提供することにある。
【００２０】
本発明の目的は、ピアノ音に不要なノイズ成分を除去する機械振動フィルタを有するピックアップ装置を提供することにある。
【００２１】
【課題を解決するための手段】
総じて、本発明は、ピアノ本体のキャストアイアンプレートのような固定部材に接する第一接触部材と、前記ピアノ本体のサウンドボードのような音源部材に接する第二接触部材とを備え、これら固定部材及び音源部材の間で保持されるセンサ部材と、上記第一接触部材あるいは第二接触部材の一方あるいは双方に設けられ、前記固定部材と音源部材との間の距離に応じて、センサ部材の長さを調整するための長さ調節機構と、上記第一接触部材と前記第二接触部材の一方あるいは双方と、前記固定部材又は前記音源部材とが接する角度を調節するための角度調節機構とよりなり、上記固定部材および音源部材から加わる振動力を電気信号に変換し出力することにある。
【００２２】
しかして、本発明によるリジットなピックアップ装置をサウンドボ−ド等の音源部材とキャストアイアンプレ−ト等の固定部材の間に適当な予圧を与えて挟み込むことにより、音源部材のその点の振動を制止し、そこに位置が固定された震動モ−ドの節を新たに作り出すと同時に、その震動を制止するための力がリジットなピックアップを通じて固定部材に加わるため、ピックアップには振動力が加わり、この振動力を電気信号に変換し出力することにより、常に震動モ−ドの節の点でのピックアップが可能となり、サウンドボ−ドがいかなる周波数で震動しても、サウンドボ−ドの震動モ−ドによるピックアップの出力の増減を最小にとどめることができ、安定してより忠実なピアノ音を出力することができるである。
【００２３】
さらに、上記サウンドボ−ドに接着されたリブ、ブリッジ、ブリッジに設けられたブリッジピン、及び弦のブリッジに接した部分と、固定部材の間に適当な予圧を与えて、本発明によるリジットなピックアップ装置を挟み込むことによっても同様の効果が得られ、安定して忠実なピアノ音を出力することができる。
【００２４】
なお、本発明は上記の構成およびこれに伴う作用効果に限るものではなく、これらに類似する他の構成上の特徴およびこれに伴う優れた作用，効果を有し、これらは本件発明の「特許請求の範囲」の範疇にあるものであるが、これらについては以下の実施例とこれに伴う「実施態様項」で明確にする。
【００２５】
さて本発明の実施例を説明するに当たり図１乃至図２を用いてグランドピアノを、図３を用いて一般的なバーティカルピアノの概略を示す。なお、上記グランドピアノ及びバーティカルピアノのそれぞれにあって実質的に同一部分は、その形状や取付け部分が変っていても同一の符号を付して説明する。
【００２６】
図で（Ａ）はピアノ本体であり、（ａ１）はピアノ本体（Ａ）を構成する枠体で、該枠体（ａ１）を支えるための梁部材（ａ２）や該梁部材（ａ２）を支える各種補強材（ａ３）がある。
【００２７】
上記ピアノ本体（Ａ）の各構成要素に加え（ｂ１）は上記枠体（ａ１）に内装される弦を張るためのキャストアイアンプレートで、音の抜けをよくするためのホール（ｂ１１）や、補強の為のアーム（ｂ１２）などの構成を有する。
また（ｂ２）は張った弦の端部を止着するピンブロックであり、（ｂ３）はバーティカルピアノに於けるバックポストである。
【００２８】
【実施例１】
図４乃至図６は上記サウンドボード（ｃ１）とキャストアイアンプレート（ｂ１）の間に本発明ピックアップ装置を取り付けた場合の実施例を示したもので特に該キャストアイアンプレート（ｂ１）の貫通ホール（ｂ１１）を利用したものである。
【００２９】
而して、図４で（Ｄ）はピックアップ装置本体で、上記貫通ホール（ｂ１１）の垂直中心軸線上に置かれている。このピックアップ装置本体（Ｄ）の下面は第二接触部材（３）が連なっている。詳しくはその下面中央からはその中間部にセンサ部材（１）があってその末端は球状体（９）が下方に突出している。またその直下方には、上記サウンドボード（ｃ１）に載置固定された支承体（１０）があって上記球状体（ａ）が嵌合しており、この結果ピックアップ装置本体（Ｄ）は、この支承部を支点として水平方向自由に揺動できるように角度調節機構（５）となっている。
【００３０】
ピックアップ装置本体（Ｄ）の上方は長ねじ（１１）が刻設されており、上記貫通ホール（ｂ１１）より小径の水平なメインアーム（１２）の中心部が螺合されている。（１３）はその内端がメインアーム（１２）の外方向にねじ止め（１４）されかつ放射状に配置された複数本のサブアームで、それぞれの外端は前記貫通ホール（ｂ１１）の外側にあるキャストアイアンプレート（ｂ１）の裏面に接触部材（１５）を介して接触している。
【００３１】
（１６）はセンサ部材（１）上端に固定させた回転つまみであり、（１７）は出力コネクタで、その上記末端は前記センサ部材（１）に電気的に接続している。
いま、回転つまみ（１６）を廻すと長ねじ（１１）は連動させメインアーム（１２）を上昇させる。この結果サブアーム（１３）は接触部材（１５）を介してキャストアイアンプレート（ｂ１）の裏面を押し上げる。即ち、センサ部材（１）は支承体（１０）を介しサウンドボード（ｃ１）と、上記サブアーム（１３）の接触部材（１５）を介してキャストアイアンプレート（ｂ１）との間に介在されることになり、サウンドボード（ｃ１）の振動は支承体（１０），球状体（９）を介してセンサ部材（１）に導かれ信号に変換されて出力コネクタ（１７）より出力されることになる。
【００３２】
即ち図で、回転つまみ（１６）を左に回して力センサー部材（１）が最もメインアーム（１２）に近付いた状態にする。次にメインアーム（１２）の両端に取付けた２本のサブアーム（１３）の先端がメインアーム（１２）に最も近付くように折り畳み、ピックアップを装置本体（Ｄ）の全体をピアノのキャストアイアンプレート（ｂ１）のホール（ｂ１１）の中に入れ、ピックアップ装置本体（Ｄ）のサウンドボード（ｃ１）接触部材をサウンドボード側に接触させ、接触部材（１５）がキャストアイアンプレート（ｂ１）とサンドボード（ｃ１）の間に位置するよう、全てのサブアーム（１３）を移動させる。次に回転つまみ（１６）を右に回して接触部材（１５）をキャストアイアンプレート（ｂ１）の裏面に接触させ、ピックアップ本体（Ｄ）を、キャストアイアンプレート（ｂ１）とサウンドボードの間へ適切な力で挟み込む。そして、出力コネクター（１７）に図示しない出力ケーブルを接続し取付けは完了する。
ここでピックアップの出力音を聞いて音質を確認し、必要な場合はピックアップの挟み込み力を調節する。以上の手順を逆に行うことにより、ピックアップ装置本体（Ｄ）を簡単に安全に取り付け取り外しできるのである。
【００３３】
【実施例２】
次に図５で示した実施例を先の実施例と同一部分を同一附号を付して説明すると、メインアーム（１２）はキャストアイアンプレート（ｂ１）に於ける貫通ホール（ｂ１１）の垂直中心軸線上にあって、その上方に水平に置かれている。このメインアーム（１２）の両側端には、「Ｊ」字型及び逆「Ｊ」字型のサブアーム（１８）の上端が枢着され、サブアーム（１８）の他端は貫通ホール（ｂ１１）の外側にあってキャストアイアンプレート（ｂ１）の裏面に接触している。
而して先の実施例と同様に回転つまみ（１６）を廻し、センサ部材（１）をサウンドボード（ｃ１）とキャストアイアンプレート（ｂ１）との間に密に介在させたものである。
【００３４】
【実施例３】
図６と図７の実施例は上記のメインアーム（１２）の変形を示した。即ち、図６の実施例に於けるメインアーム（１２）は水平な「凸」字型をなしており、その中央部には上記長ねじ（１１）が、また両肩部（１９）は貫通ホール（ｃ１１）の外側にあってはキャストアイアンプレート（ｂ１）の裏面に接触している。而して、上記センサ部材（１）あるいはメインアーム（１２）を廻すと、センサ部材（１）はサウンドボード（９）とキャストアイアンプレート（ｂ１）との間に密に介在されることになる。なおこの実施例の図６から図９及び図１０から図２０の実施例にあって、電気出力コネクタ部材（６）の出力コネクタ（１７）は、センサ部材（１）に直接取り付けた場合を図示した。
【００３５】
第一の接触部材（２）と第二の接触部材（３）とを持ったピックアップ装置本体（Ｄ）に長さ調節機構（４）を設け、該ピックアップ装置本体（Ｄ）を固定部材（Ｂ）であるキャストアイアンプレート（ｂ１）と、音源部材（Ｃ）であるサウンドボード（ｃ１）の間の隙間へ挟み込んだので、ピックアップ装置本体（Ｄ）はキャストアイアンプレート（ｂ１）の接触角度が自由な角度調節機構（５）としての機能を持たせたものである。
また、キャストアイアンプレート（ｂ１）は非常に硬いので第一の接触部材（２）が接しても、変形したり接触痕が残ったりしない。しかし、その他木材でできた固定部材（Ｃ）には該木材に接触痕が残る虞があるため、後述の実施例から適宜選んで実施することが肝要である。
【００３６】
【実施例４】
図７の実施例では、上記のメインアーム（１２）に該当する部材をフラットな水平鈑とした。而して（２０）は対向する一対の「Ｌ」字型サブアームで、該アーム（２０）の垂直部分には一条乃至復数条の貫通溝（２１）があって、上記メインアーム（１２）の両端部を嵌合させてある。
さらにサブアーム（２０）の水平上面は、貫通ホール（ｂ１１）の外側にあってキャストアイアンプレート（ｂ１）の裏面と接触している。而してセンサ部材（１）または、長ねじ（１１）またはメインアーム（１２）を廻すとピックアップ装置本体（Ｄ）は、サウンドボード（ｃ１）とキャストアイアンプレート（ｂ１）との間に密に介在されることになる。
【００３７】
【実施例５】
上記実施例ではキャストアイアンプレート（ｂ１）の貫通ホール（ｂ１１）を利用した。然し乍ら貫通ホール（ｂ１１）を利用しなくてもよいこと当然であり、図８以下にその例を示した。
即ち、図８にあって（２２）は長ねじ（１１）に螺合させたナット状の回転台座で、該台座（２２）を廻すことによってセンサ部材（１）を有するピックアップ装置本体（Ｄ）を、サウンドボード（ｃ１）とキャストアイアンプレート（ｂ１）間に密に介在させることができる。
【００３８】
【実施例６】
上記の実施例はいずれもサウンドボード（ｃ１）上に支承体（１０）を載置し、これにセンサ部材（１）の球状体（９）が嵌合された構造とした。これは上述のようにピアノ接触面角度の角度調整機構（５）であるが、この機構を必要としない場合も当然ある。
即ち、図９は上記図８の実施例における長ねじ（１１）を台座（２２）に螺合させ、センサ部材（１）の上面中央からは球状突出部（２３）をキャストアイアン（１）を有するピックアップ装置本体（Ｄ）をサウンドボード（ｃ１）とキャストアイアンプレート（ｂ１）間に密に介在させることができたのである。
【００３９】
【実施例７】
ここで、振動しない部分［固定部材（Ｂ）など］から、本発明ピックアップ装置本体（Ｄ）に加わるピアノの音には必要ないノイズ部分［床からくる振動や、ピアノのペダル操作時の振動など］の振動をカットする役割を果たす粘弾性部材（７）［機械振動フィルタ］を設けた例を図１０で説明する。
即ち、たとえば先に説明した実施例５［図８］の台座（２２）上に重錘（２４）および粘弾性体（２５）を載置し、これをキャストアイアンプレート（ｂ１）の裏面に係合させたものである。
【００４０】
この場合まず粘弾性体（２５）の性質はバネ性と粘性を合わせもつもので、ゆっくり押すと［低い周波数では］ばねのように働き早く押すと、［高い周波数では］硬い固体［正確に言うと粘性抵抗を持つが］のようになるもので、この粘弾性体（２５）を上図に示すようにキャストアイアンプレート（ｂ１）と重錘（２４）の間に挟むことにより、低い周波数の振動力はバネ性と重錘（２４）で吸収し通過させず、周波数の高い振動は粘弾性体（２５）が硬く作用し通過させ、センサ部材（１）に導くしくみを作っている。この効果により、低周波のノイズ成分をピックアップしないようにすることができるのである。
【００４１】
【実施例８】
図１１の実施例は、先の実施例の角度調節機構（５）が必要ない場合で、この時はセンサ部材（１）を直接サウンドボード（ｃ１）の上面に載置した例である。
【００４２】
【実施例９】
図１２乃至図１５に示した実施例は、いずれもサウンドボード（ｃ１）に設けたブリッジ（ｃ５）の弦の駒（ｃ３）に接して本発明ピックアップ装置本体（Ｄ）を設けた例を示している。
而して図１２にあって、ピックアップ装置本体（Ｄ）は、上記実施例５［図８］の構成と同じであって、この場合支承体（１０）は弦（ｃ５）を介してブリッジ（ｃ３）上に、台座（２２）はこの実施例の場合キャストアイアンプレート（ｂ１）のアーム（ｂ１２）の下面と接するようにしてある。
【００４３】
【実施例１０】
図１３および図１４は上記の取付部材（８）を設ける例を示した。
即ち、図１３は万力状の専用の取付部材（８）を上にキャストアイアンプレート（ｂ１）のアーム（ｂ１２）に挟み込むように設けこの取付部材（８）に本発明のピックアップ装置本体（Ｄ）の第１接触部材（２）を当接させたものである。
【００４４】
【実施例１１】
即ちこの取付部材（８）は１つだけではなく数種の部材を組合わせてもよい。図１４は、断面「コ」字型部材（２６）とその垂直な外面に浴わせて設けたＬ字型部材（２７）とで構成され、「コ」字型部材（２６）はキャストアイアンプレートのアーム（ｂ１２）を螺ねじ（２８）で固着し、Ｌ字型部材（２７）は「コ」字型部材（２６）の適切な位置に螺ねじ（２８）で固着し、かつＬ字型部材（２７）は、ピックアップ装置本体（Ｄ）の長ねじ（１１）を螺合させた構造となっている。
【００４５】
【実施例１２】
図１５は、前記実施例３［図６］の構造そのままで、そのピアノ本体の取付位置を変更したものである。即ち、上記キャストアイアンプレート（ｂ１）のアーム（ｂ１２）はこれが一定間隔を置いて対峙させた部位があり、係る場所に設置するときには図のようにメインアーム（１２）の両肩部（１９）上に上記アーム（ｂ１２）の下面を接するように配置するとよい。かかるように本発明のピックアップ装置本体（Ｄ）は、ピアノ本体（Ａ）の固定部材（Ｂ）と音源部材（Ｃ）との間に介在させることができるものであれば、いかなる場合でも設置することが可能なのである。
【００４６】
【実施例１３】
即ち、図１６はピアノ本体（Ａ）のブレース（ｂ４）と、サウンドボード（ｃ１）間にピックアップ装置本体（Ｄ）を設けたものであり、図１７及び１８はブレース（ｂ４）と弦の駒（ｃ３）間にピックアップ装置本体（Ｄ）を設けたものである。
【００４７】
【実施例１４】
さらに図１９及び図２１は、ピアノ本体を構成する枠体（ａ１）と、サウンドボード（ｃ１）間にピックアップ装置本体（Ｄ）を設けたもので、その構造は前に実施例５［図８］の構成と同等のものを用いた。
【００４８】
［実施態様］
本発明における主な実施態様は以下の通りであるが、これにとどまらずこれら構成と類似する構成も含めて、これらは上記の特許請求の範囲に包含されるものである。
【００４９】
１，前記ピックアップ装置本体（Ｄ）のセンサ部材（１）が、圧電式力ピックアップ手段からなる、前記請求項１乃至５記載のピアノ用ピックアップ装置。
【００５０】
２，前記長さ調節機構（４）が、ネジ部（１１）と前記音源部材（Ｃ）と関連する部材と、前記ネジ部（１１）と螺合するメインアーム部材（１２）等からなる前記請求項１乃至５記載のピアノ用ピックアップ装置。
【００５１】
３，前記第一接触部材（２）が、メインアーム部材（１２）の両端に回転自在に取付けた棒状のサブアーム（１３）と、サブアーム（１３）のもう一方の端が前記ピアノ本体（Ａ）の固定部材（Ｂ）と接する、前記請求項１乃至５記載のピアノ用ピックアップ装置。
【００５２】
４，前記第一接触部材（２）が、メインアーム部材（１２）の両端に回転自在に取付けた棒状のサブアーム（１３）のもう一方の端に、前記ピアノ本体（Ａ）の固定部材（Ｂ）と自由な角度で接することが可能な球状部（９）及び支承体（１０）等の構成などからなる突起状の接触部を設けた、前記請求項１乃至５記載のピアノ用ピックアップ装置。
【００５３】
５，前記第二接触部材（３）が、前記ピアノ本体（Ａ）の音源部材（Ｃ）と接する、前記請求項１乃至５記載のピアノ用ピックアップ装置。
６，粘弾性部材（２５）と重錘（２４）からなる［機械振動フィルター］を備えた、前記請求項１乃至５記載のピアノ用ピックアップ装置。
【００５４】
７，前記粘弾性部材（２５）がゴム又はスポンジで構成された、前記請求項１乃至５記載のピアノ用ピックアップ装置。
【００５５】
８，  前記固定部材（Ｂ）が、キャストアイアンプレ−ト（ｂ１）ピンブロック（ｂ２）や、その他ブレ−ス（ｂ４），インナ−リム（ｂ５），アウタ−リム（ｂ６），バーティカルピアノ本体（Ａ）のバックポスト（ｂ３），の中から選択あるいはそれと類似する機能を持った部材で構成された、前記請求項１乃至５記載のピアノ用ピックアップ装置。
【００５６】
９，  前記音源部材（Ｃ）が、サウンドボ−ド（ｃ１）、サウンドボ−ド（ｃ１）に接着されたリブ（ｃ２）、サウンドボ−ドに接着されたブリッジ（ｃ３）、上記サウンドボ−ド（ｃ１）に接着されたブリッジ（ｃ３）に設けられたブリッジピン（ｃ４）、サウンドボ−ド（ｃ１）に接着されブリッジ（ｃ３）に接して張設された弦（ｃ５）、の中から選択あるいはそれと類似する機能を持った部材で構成された、前記請求項１乃至５記載のピアノ用ピックアップ装置。
【００５７】
１４，  １個又は複数個の着脱可能な電気信号出力コネクタ−部材（６），［センサ部材（１）］，を設けた、前記請求項１乃至５記載のピアノ用ピックアップ装置。
【００５８】
【効果】
以上説明したように、本発明は総じてピアノ本体のサウンドボ−ド等の音源部材およびキャストアイアンプレ−ト等の固定部材と、本発明ピックアップ装置本体をリジットに連結して生ずる振動力をピックアップすることにより、確実，正確にピアノ音をピックアップするピックアップ装置を提供することができたのである。
【００５９】
さらに、他の本発明の効果としては、安価で勿論既存のピアノにも容易に所望の取付け、あるいは取り外しすることができ、しかもその取付け取り外し時にピアノに損傷を与えることがないのである。また、本発明のピックアップ装置本体に、機械振動フィルタを設けたことでピアノ音に不要なノイズ成分を除去することができるようになったのである。
【図面の簡単な説明】
【図１】  グランドピアノの斜視系統図
【図２】グランドピアノの縦断面図
【図３】バ−ティカルピアノの縦断面図
【図４】同他の実施例の１の、一部切欠正面説明図
【図５】同他の実施例の２の、一部切欠正面説明図
【図６】同他の実施例の３の、一部切欠正面説明図
【図７】同他の実施例の４の、一部切欠正面説明図
【図８】同他の実施例の５の、一部切欠正面説明図
【図９】同他の実施例の６の、一部切欠正面説明図
【図１０】同他の実施例の７の、一部切欠正面説明図
【図１１】同他の実施例の８の、一部切欠正面説明図
【図１２】同他の実施例の９の、一部切欠正面説明図
【図１３】同他の実施例の１０の、一部切欠正面説明図
【図１４】同他の実施例の１１の、一部切欠正面説明図
【図１５】同他の実施例の１２の、一部切欠正面説明図
【図１６】同他の実施例の１３の、一部切欠正面説明図
【図１７】同他の実施例の１３の、他の構成の一部切欠正面説明図
【図１８】図１７の、一部切欠側面説明図
【図１９】同他の実施例の１４の、一部切欠正面説明図
【符号の説明】
Ａ    ピアノ本体
ａ１  枠
ａ２  梁部材
ａ３  各種補強材
Ｂ    固定部材
ｂ１  キャストアイアンプレ−ト
ｂ１１ホール
ｂ１２アーム
ｂ２  ピンブロック
ｂ３  バックポスト［バーティカルピアノ］
ｂ４  ブレ−ス
ｂ５  インナ−リム
ｂ６  アウタ−リム
ｂ７  バックポスト
Ｃ    音源部材
ｃ１  サウンドボ−ド
ｃ２  リブ
ｃ３  ブリッジ
ｃ４  ブリッジピン
ｃ５  弦
Ｄ    ピックアップ装置本体
１，センサ部材
２，第一接触部材
３，第二接触部材
４，長さ調節機構
５，角度調節機構
６，電気出力コネクタ部材
７，粘弾性部材
８，取付部材
９，球状体
１０，支承体
１１，長ねじ
１２，メインアーム
１３，サブアーム
１４，ねじ止め
１５，接触部材
１６，回転つまみ
１７，出力コネクタ
１８，Ｊ字型サブアーム
１９，両肩部
２０，Ｌ字型サブアーム
２１，貫通溝
２２，台座
２３，球状突出部
２４，重錘
２５，粘弾性体
２６，コ字型部材
２７，Ｌ字型部材
２８，螺ねじ
【図１】
0004083344.tif 000002
【図２】
0004083344.tif 000003
【図３】
0004083344.tif 000004
【図４】
0004083344.tif 000005
【図５】
0004083344.tif 000006
【図６】
0004083344.tif 000007
【図７】
0004083344.tif 000008
【図８】
0004083344.tif 000009
【図９】
0004083344.tif 000010
【図１０】
0004083344.tif 000011
【図１１】
0004083344.tif 000012
【図１２】
0004083344.tif 000013
【図１３】
0004083344.tif 000014
【図１４】
0004083344.tif 000015
【図１５】
0004083344.tif 000016
【図１６】
0004083344.tif 000017
【図１７】
0004083344.tif 000018
【図１８】
0004083344.tif 000019
【図１９】
0004083344.tif 000020